(57)【要約】【課題】フリースポットを提供する店舗の混雑を緩和し、その結果、利用者に平等にサービスを提供する。【解決手段】端末との間で無線通信を行う第１の基地局または特定の場所に端末が存在する場合に端末が第１の基地局から送信されて受信する電波の受信強度よりも強い強度の電波を端末が受信するように電波を送信する第２の基地局から送信されてくる基地局を識別するための基地局識別情報に基づいて、端末が通信を行っている基地局が第１の基地局と第２の基地局とのどちらであるかを判定し、端末が通信を行っている基地局が第１の基地局であると判定された場合、第２の基地局を介して端末とネットワークとを接続する接続時間よりも長い時間、第１の基地局を介して端末とネットワークとを接続する。【選択図】図１
2010118840.tif 000002
【特許請求の範囲】
【請求項１】
無線通信機能を有する端末と、該端末との間で無線通信を行う第１の基地局と、特定の場所に前記端末が存在する場合に前記端末が前記第１の基地局から送信されて受信する電波の受信強度よりも強い強度の電波を該端末が受信するように該電波を送信する第２の基地局と、所定の時間、前記第１の基地局または前記第２の基地局を介して前記端末とネットワークとを接続するサービス管理サーバとを有する通信システムにおいて、
前記サービス管理サーバは、前記第１の基地局または前記第２の基地局から送信されてくる基地局を識別するための基地局識別情報に基づいて、前記端末が通信を行っている基地局が前記第１の基地局と前記第２の基地局とのどちらであるかを判定し、前記端末が通信を行っている基地局が前記第１の基地局であると判定された場合、前記第２の基地局を介して前記端末とネットワークとを接続する時間よりも長い時間、前記第１の基地局を介して前記端末とネットワークとを接続することを特徴とする通信システム。
【請求項２】
請求項１に記載の通信システムにおいて、
前記第１の基地局を介して前記端末とネットワークとを接続する第１の接続時間と、該第１の接続時間よりも短い、前記第２の基地局を介して前記端末とネットワークとを接続する第２の接続時間とを記憶するデータベースを有し、
前記サービス管理サーバは、前記データベースから前記接続時間を取得することを特徴とする通信システム。
【請求項３】
請求項２に記載の通信システムにおいて、
前記データベースは、前記特定の場所において前記端末に付与されたポイントに応じた接続時間を記憶し、
前記サービス管理サーバは、前記端末に付与されたポイントに応じた接続時間、該端末とネットワークとを接続することを特徴とする通信システム。
【請求項４】
請求項１に記載の通信システムにおいて、
前記第２の基地局は、ビームフォーミングを用いて前記特定の場所に電波を送信することを特徴とする通信システム。
【請求項５】
請求項１乃至４のいずれか１項に記載の通信システムにおいて、
ＷｉＭＡＸシステムであることを特徴とする通信システム。
【請求項６】
無線通信機能を有する端末とネットワークとを、前記端末との間で無線通信を行う第１の基地局と、特定の場所に前記端末が存在する場合に前記端末が前記第１の基地局から送信されて受信する電波の受信強度よりも強い強度の電波を該端末が受信するように該電波を送信する第２の基地局とのどちらか一方を介して所定の時間、接続するサービス管理サーバであって、
前記第１の基地局または前記第２の基地局から送信されてくる基地局を識別するための基地局識別情報に基づいて、前記端末が通信を行っている基地局が前記第１の基地局と前記第２の基地局とのどちらであるかを判定する端末位置判定部と、
前記端末位置判定部が前記端末が通信を行っている基地局が前記第１の基地局であると判定した場合、前記第１の基地局を介して前記端末とネットワークとを接続する接続時間を、前記第２の基地局を介して前記端末とネットワークとを接続する接続時間よりも長い時間に設定する処理部とを有するサービス管理サーバ。
【請求項７】
請求項６に記載のサービス管理サーバにおいて、
前記第１の基地局を介して前記端末とネットワークとを接続する第１の接続時間と、該第１の接続時間よりも短い、前記第２の基地局を介して前記端末とネットワークとを接続する第２の接続時間とを記憶するデータベースから前記接続時間を取得する接続時間取得部をさらに有し、
前記処理部は、前記接続時間取得部が取得した接続時間を設定することを特徴とするサービス管理サーバ。
【請求項８】
請求項７に記載のサービス管理サーバにおいて、
前記接続時間取得部は、前記データベースに記憶された、前記特定の場所において前記端末に付与されたポイントに応じた接続時間を取得することを特徴とするサービス管理サーバ。
【請求項９】
無線通信機能を有する端末とネットワークとを、前記端末との間で無線通信を行う第１の基地局と、特定の場所に前記端末が存在する場合に前記端末が前記第１の基地局から送信されて受信する電波の受信強度よりも強い強度の電波を該端末が受信するように該電波を送信する第２の基地局とのどちらか一方を介して所定の時間、接続して前記端末にサービスを提供するサービス提供方法であって、
前記第１の基地局または前記第２の基地局から送信されてくる基地局を識別するための基地局識別情報に基づいて、前記端末が通信を行っている基地局が前記第１の基地局と前記第２の基地局とのどちらであるかを判定する処理と、
前記端末が通信を行っている基地局が前記第１の基地局であると判定された場合、前記第１の基地局を介して前記端末とネットワークとを接続する接続時間を、前記第２の基地局を介して前記端末とネットワークとを接続する接続時間よりも長い時間に設定する処理とを有するサービス提供方法。
【請求項１０】
請求項９に記載のサービス提供方法において、
前記第１の基地局を介して前記端末とネットワークとを接続する第１の接続時間と、該第１の接続時間よりも短い、前記第２の基地局を介して前記端末とネットワークとを接続する第２の接続時間とを記憶するデータベースから前記接続時間を取得する処理と、
前記取得した接続時間を設定する処理とを有することを特徴とするサービス提供方法。
【請求項１１】
請求項１０に記載のサービス提供方法において、
前記データベースに記憶された、前記特定の場所において前記端末に付与されたポイントに応じた接続時間を取得する処理を有することを特徴とするサービス提供方法。
【請求項１２】
無線通信機能を有する端末とネットワークとを、前記端末との間で無線通信を行う第１の基地局と、特定の場所に前記端末が存在する場合に前記端末が前記第１の基地局から送信されて受信する電波の受信強度よりも強い強度の電波を該端末が受信するように該電波を送信する第２の基地局とのどちらか一方を介して所定の時間、接続するサービス管理サーバに、
前記第１の基地局または前記第２の基地局から送信されてくる基地局を識別するための基地局識別情報に基づいて、前記端末が通信を行っている基地局が前記第１の基地局と前記第２の基地局とのどちらであるかを判定する手順と、
前記端末が通信を行っている基地局が前記第１の基地局であると判定した場合、前記第１の基地局を介して前記端末とネットワークとを接続する接続時間を、前記第２の基地局を介して前記端末とネットワークとを接続する接続時間よりも長い時間に設定する手順とを実行させるためのプログラム。
【請求項１３】
請求項１２に記載のプログラムにおいて、
前記第１の基地局を介して前記端末とネットワークとを接続する第１の接続時間と、該第１の接続時間よりも短い、前記第２の基地局を介して前記端末とネットワークとを接続する第２の接続時間とを記憶するデータベースから前記接続時間を取得する手順と、
前記取得した接続時間を設定する手順とを実行させるためのプログラム。
【請求項１４】
請求項１３に記載のプログラムにおいて、
前記データベースに記憶された、前記特定の場所において前記端末に付与されたポイントに応じた接続時間を取得する手順を実行させるためのプログラム。
【発明の詳細な説明】
【技術分野】
【０００１】
本発明は、無線通信端末へサービスを提供する通信システム、サービス管理サーバ、サービス提供方法およびプログラムに関する。
【背景技術】
【０００２】
近年、無線ＬＡＮ（Ｌｏｃａｌ  Ａｒｅａ  Ｎｅｔｗｏｒｋ）通信を行う際に、公衆無線ＬＡＮスポットが利用される。この公衆無線ＬＡＮスポットとは、無線ＬＡＮを利用したインターネットへの接続サービスが提供されているエリアのことである。公衆無線ＬＡＮスポットは、「ホットスポット」、「無線ＬＡＮスポット」、「アクセスポイント」とも呼ばれ、主に喫茶店やファストフードなどの飲食店、駅や空港、ホテル等に設置されている。
【０００３】
公衆無線ＬＡＮスポットの提供形態としては主に次の３種類がある。
（１）事前に公衆無線ＬＡＮスポット提供事業者の会員となることで、当該事業者が提供する公衆無線ＬＡＮスポットを月額定額制で利用できる会員制スポット。
（２）公衆無線ＬＡＮスポットを利用する都度、日額接続料といった時間等の制限付きでアクセス権を得るゲスト制スポット（空港のラウンジやホテル等、旅行客が訪れる場所に多い）。
（３）無料で制限無く接続可能なフリースポット。
【０００４】
この提供形態の中の（３）のフリースポットを利用したビジネスモデルとして、フリースポットを提供する店舗であるフリースポット提供店舗が個々にインターネットサービスプロバイダと契約し、店舗内でのみ無料で接続可能な無線ＬＡＮ接続を、店舗利用者への付加価値サービスとして提供しているものがある。
【０００５】
このフリースポットに関連する技術として、フリースポット利用者の端末に広告を表示させた後にインターネットへの接続を無料で行う広告配信システムが考えられている（例えば、特許文献１参照。）。これにより、利用者は無料でインターネット接続ができ、フリースポット提供者は広告収入が得られるといった効果がある。
【０００６】
また、店舗が提供している無線ＬＡＮサービスにおいて、地域店舗の情報やクーポンを無料でユーザに提供し、その他のインターネットアクセスは有料でユーザに提供する地域情報提供システムが考えられている（例えば、特許文献２参照。）。
【特許文献１】特開２００５−２６７１２２号公報
【特許文献２】特開２００３−２２８６３７号公報
【発明の開示】
【発明が解決しようとする課題】
【０００７】
しかしながら、上述したようなフリースポットを利用する利用者は、当該店舗内に停滞しやすい。また、フリースポット利用者がフリースポット提供店舗に小額しか収益をもたらさないため、フリースポット提供店舗はフリースポット設置による十分な対価を得られない。
【０００８】
また、特許文献１，２に記載された技術を利用した場合であっても、フリースポット利用者は、飲食店等の限られたエリア内でのみ当該のサービスが利用可能であるため、フリースポット提供者への広告収入などはあっても、利用者の店内停滞を防ぐことは容易ではなく、利用者の流動性を高めるためのシステムが必要となってしまう。
【０００９】
つまり、店舗がフリースポットを提供することにより顧客回転率が妨げられてしまうという問題点がある。その理由は、店舗内でのみフリースポットの利用可能であること、また、小額の店舗利用でも制限なくフリースポットへの接続が可能であることから店舗利用者の店内停滞が増加しているためである。
【００１０】
また、この顧客回転率の妨げにより、店内が混雑してしまう。この店内の混雑によりテイクアウトを余儀なくされるときや、店内のフリースポット利用者が多くアクセス回線が混んでいるときに、店舗利用者がフリースポットを利用したくても利用できないという問題点がある。これにより、フリースポットというサービスを店舗利用者に平等に提供できなくなってしまうおそれがある。
【００１１】
本発明は、上述した課題を解決する通信システム、サービス管理サーバ、サービス提供方法およびプログラムを提供することを目的とする。
【課題を解決するための手段】
【００１２】
本発明の通信システムは、
無線通信機能を有する端末と、該端末との間で無線通信を行う第１の基地局と、特定の場所に前記端末が存在する場合に前記端末が前記第１の基地局から送信されて受信する電波の受信強度よりも強い強度の電波を該端末が受信するように該電波を送信する第２の基地局と、所定の時間、前記第１の基地局または前記第２の基地局を介して前記端末とネットワークとを接続するサービス管理サーバとを有する通信システムにおいて、
前記サービス管理サーバは、前記第１の基地局または前記第２の基地局から送信されてくる基地局を識別するための基地局識別情報に基づいて、前記端末が通信を行っている基地局が前記第１の基地局と前記第２の基地局とのどちらであるかを判定し、前記端末が通信を行っている基地局が前記第１の基地局であると判定された場合、前記第２の基地局を介して前記端末とネットワークとを接続する時間よりも長い時間、前記第１の基地局を介して前記端末とネットワークとを接続することを特徴とする。
【００１３】
また、本発明のサービス管理サーバは、
無線通信機能を有する端末とネットワークとを、前記端末との間で無線通信を行う第１の基地局と、特定の場所に前記端末が存在する場合に前記端末が前記第１の基地局から送信されて受信する電波の受信強度よりも強い強度の電波を該端末が受信するように該電波を送信する第２の基地局とのどちらか一方を介して所定の時間、接続するサービス管理サーバであって、
前記第１の基地局または前記第２の基地局から送信されてくる基地局を識別するための基地局識別情報に基づいて、前記端末が通信を行っている基地局が前記第１の基地局と前記第２の基地局とのどちらであるかを判定する端末位置判定部と、
前記端末位置判定部が前記端末が通信を行っている基地局が前記第１の基地局であると判定した場合、前記第１の基地局を介して前記端末とネットワークとを接続する接続時間を、前記第２の基地局を介して前記端末とネットワークとを接続する接続時間よりも長い時間に設定する処理部とを有する。
【００１４】
また、本発明のサービス提供方法は、
無線通信機能を有する端末とネットワークとを、前記端末との間で無線通信を行う第１の基地局と、特定の場所に前記端末が存在する場合に前記端末が前記第１の基地局から送信されて受信する電波の受信強度よりも強い強度の電波を該端末が受信するように該電波を送信する第２の基地局とのどちらか一方を介して所定の時間、接続して前記端末にサービスを提供するサービス提供方法であって、
前記第１の基地局または前記第２の基地局から送信されてくる基地局を識別するための基地局識別情報に基づいて、前記端末が通信を行っている基地局が前記第１の基地局と前記第２の基地局とのどちらであるかを判定する処理と、
前記端末が通信を行っている基地局が前記第１の基地局であると判定された場合、前記第１の基地局を介して前記端末とネットワークとを接続する接続時間を、前記第２の基地局を介して前記端末とネットワークとを接続する接続時間よりも長い時間に設定する処理とを有する。
【００１５】
また、本発明のプログラムは、
無線通信機能を有する端末とネットワークとを、前記端末との間で無線通信を行う第１の基地局と、特定の場所に前記端末が存在する場合に前記端末が前記第１の基地局から送信されて受信する電波の受信強度よりも強い強度の電波を該端末が受信するように該電波を送信する第２の基地局とのどちらか一方を介して所定の時間、接続するサービス管理サーバに、
前記第１の基地局または前記第２の基地局から送信されてくる基地局を識別するための基地局識別情報に基づいて、前記端末が通信を行っている基地局が前記第１の基地局と前記第２の基地局とのどちらであるかを判定する手順と、
前記端末が通信を行っている基地局が前記第１の基地局であると判定した場合、前記第１の基地局を介して前記端末とネットワークとを接続する接続時間を、前記第２の基地局を介して前記端末とネットワークとを接続する接続時間よりも長い時間に設定する手順とを実行させる。
【発明の効果】
【００１６】
以上説明したように本発明においては、無線通信機能を有する端末との間で無線通信を行う第１の基地局または特定の場所に端末が存在する場合に端末が第１の基地局から送信されて受信する電波の受信強度よりも強い強度の電波を端末が受信するように電波を送信する第２の基地局から送信されてくる基地局を識別するための基地局識別情報に基づいて、端末が通信を行っている基地局が第１の基地局と第２の基地局とのどちらであるかを判定し、端末が通信を行っている基地局が第１の基地局であると判定された場合、第２の基地局を介して端末とネットワークとを接続する接続時間よりも長い時間、第１の基地局を介して端末とネットワークとを接続する構成としたため、フリースポットを提供する店舗の混雑を緩和し、その結果、利用者に平等にサービスを提供することができる。
【発明を実施するための最良の形態】
【００１７】
以下に、本発明の実施の形態について図面を参照して説明する。
【００１８】
図１は、本発明の通信システムの一形態を示す図である。なお、図１に示した形態は、本発明の通信システムがモバイルＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である場合を例に挙げて示している。
【００１９】
本形態は図１に示すように、端末１０１と、基地局１１０，１２０と、ＡＡＡ（Ａｕｔｈｅｎｔｉｃａｔｉｏｎ，  Ａｕｔｈｏｒｉｘａｔｉｏｎ，  ａｎｄ  Ａｃｃｏｕｎｔｉｎｇ）サーバ１４０と、サービス管理サーバ１５０と、Ｗｅｂサーバ１６０と、メールサーバ１７０と、利用者情報データベース１８０と、店舗情報データベース１９０と、店舗端末２００−１〜２００−ｎ（ｎは、自然数）とから構成されている。また、基地局１１０と、店舗端末２００−１とは、フリースポットを提供する喫茶店等の店舗であるフリースポット提供店舗１００内に設置されている。また、ＡＡＡサーバ１４０と、サービス管理サーバ１５０と、Ｗｅｂサーバ１６０と、メールサーバ１７０と、利用者情報データベース１８０と、店舗情報データベース１９０とは、通信事業を行う通信事業者１３０が有する設備である。ここで、通信事業者１３０は、ＷｉＭＡＸ事業者である。
【００２０】
端末１０１は、無線通信機能を有し、利用者によって持ち運び（移動）可能なモバイルパーソナルコンピュータ等の端末（情報処理装置）である。また、端末１０１は、基地局１１０，１２０からＷｉＭＡＸの電波を受信し、受信した電波で送信されてきた情報をディスプレイ等の画面に表示する。また、端末１０１は、一般的な無線通信端末と同様に、複数の基地局から送信された電波をそれぞれ受信した場合、受信強度の強い方の電波を選択し、当該電波を送信した基地局との間にて通信を行う。さらに、端末１０１は、利用者の操作によって入力された情報を、基地局１１０，１２０およびＡＡＡサーバ１４０を介してサービス管理サーバ１５０へ送信する。ここで、送信される情報には、当該利用者を識別可能な電子メールアドレス等の利用者ＩＤ（Ｉｄｅｎｔｉｆｉｃａｔｉｏｎ）と、利用者を認証するためのパスワードとが含まれ、必要に応じて氏名、電話番号、住所等の情報が含まれる。
【００２１】
基地局１２０は、通信事業者１３０によって設置された広範囲を無線通信範囲とするＷｉＭＡＸ基地局（第１の基地局）である。また、基地局１２０は、端末１０１が基地局１２０と通信可能な場所に存在する場合、通信事業者１３０を介して端末１０１を広域無線ＬＡＮ（Ｌｏｃａｌ  Ａｒｅａ  Ｎｅｔｗｏｒｋ）へ接続する。
【００２２】
基地局１１０は、通信事業者１３０によってフリースポット提供店舗１００内に設置され、狭い範囲を無線通信範囲とするＷｉＭＡＸ基地局（第２の基地局）である。また、基地局１１０は、端末１０１が基地局１１０と通信可能な場所に存在する場合、通信事業者１３０を介して端末１０１をフリースポットへ接続する。また、基地局１１０は、ビームフォーミングを用いてフリースポット提供店舗１００内に電波が届くようにアンテナが設定されている。つまり、端末１０１がフリースポット提供店舗１００内に存在する場合、基地局１２０から送信された電波の端末１０１における受信強度よりも基地局１１０から送信された電波の端末１０１における受信強度の方が強い。このため、フリースポット提供店舗１００内に存在する端末１０１は、基地局１１０から送信された電波を選択し、基地局１１０との間で通信を行う。また、フリースポット提供店舗１００外に存在する端末１０１は、基地局１２０から送信された電波を選択し、基地局１２０との間で通信を行う。また、端末１０１がフリースポット提供店舗１００内からフリースポット提供店舗１００外へ、または端末１０１がフリースポット提供店舗１００外からフリースポット提供店舗１００内へ移動した際、端末１０１は通信する基地局１１０と基地局１２０との切り替え（ハンドオーバー）を行う。
【００２３】
ＡＡＡサーバ１４０は、基地局１１０，１２０と接続され、端末１０１の認証、承認、課金を行う認証サーバである。また、ＡＡＡサーバ１４０は、端末１０１が通信を行っている基地局１１０，１２０を識別するための基地局識別情報をサービス管理サーバ１５０へ送信する。これは、端末１０１から送信されてきた信号に含まれる基地局１１０，１２０を識別するための基地局識別情報をサービス管理サーバ１５０へ送信するものである。
【００２４】
サービス管理サーバ１５０は、通信事業者１３０内に設置されている情報処理装置であり、利用者認証機能と利用者アクセス制御機能と店舗認証機能との３つの機能を備えている。
【００２５】
利用者認証機能は、端末１０１から送信された利用者ＩＤとパスワードとをＡＡＡサーバ１４０を介して受信し、当該利用者ＩＤとパスワードとに応じた利用者情報が利用者情報データベース１８０に存在するか否かを判定する。そして、利用者情報データベース１８０に当該利用者情報が存在しない場合、利用者の登録処理を行う機能である。
【００２６】
また、利用者アクセス制御機能は、利用者情報データベース１８０に利用者情報が存在する場合、当該利用者が保有する利用者保有ポイント数によりアクセス可否を判定する。そして、判定結果であるアクセス可否情報をＡＡＡサーバ１４０を介して端末１０１へ送信する機能である。
【００２７】
また、店舗認証機能とは、店舗端末２００−１〜２００−ｎから送信されてきたキャンペーン情報やクーポン情報等を店舗情報データベース１９０へ登録する際に、店舗端末２００−１〜２００−ｎの認証を行う機能である。
【００２８】
ここで、上述した「ポイント」について説明する。
【００２９】
この「ポイント」は、利用者のフリースポット提供店舗１００の利用度（主にフリースポット提供店舗１００における商品やサービスの購入金額や来店頻度等）に応じてフリースポット提供店舗１００が利用者に対して付与するものである。利用者は、付与されたポイントを１ポイントあたり設定された時間分だけ通信事業者１３０との接続に利用できる。また、ポイントの付与率（例えば、購入金額１００円ごとに１ポイント付与等）およびポイントをフリースポット提供店舗１００にてどのように使用できるか（例えば、１ポイント１円として商品購入時に１０ポイントから使用可能等）はフリースポット提供店舗１００が自由に設定できる。
【００３０】
また、ポイントは、通信事業者１３０との接続だけではなく、フリースポット提供店舗１００での商品購入にも現金の代わりとして利用可能である。さらに、コンビニエンスストアやＣＤショップといったポイントの発行・使用のみ行い、フリースポットを提供しないような他業種店舗（この他業種店舗のことを以下、提携店舗と呼ぶ）のポイントとの相互利用も可能である。そのため、通信事業者１３０と契約済みであり、通信事業者１３０との接続が不要な店舗利用者にも同等のサービスを提供することができる。また、当該店舗利用者がフリースポットサービスを利用した後、通信事業者１３０と契約を結んでも、利用者にとっての本サービスの利用価値は失われない。
【００３１】
また、ポイントは、利用者それぞれに割り当てられる利用者ＩＤに付与される。この利用者ＩＤは、利用者がフリースポット提供店舗１００もしくは提供店舗を初めて利用するときに配布されるカードに記入されている。当該カードの利用者ＩＤに付与されたポイントはそのままでは利用不可能であり、フリースポット、あるいはフリー広域無線ＬＡＮ、もしくは一般的なインターネットからサービスポータルサイトにアクセスし、電子メールアドレスやパスワードといった利用者の個人情報を登録することにより、カードをアクティベートする必要がある。利用者は、店舗利用時にこのカードを提示することによりポイントの確認、利用、受領が可能となる。
【００３２】
このようなポイントシステムを実現するため、このポイントは、同じ通信事業者１３０が提供する複数のフリースポット提供店舗１００及び提携店舗で共通のものとし、通信事業者１３０が管理する。また、このポイントは、利用者の電子メールアドレスなどの利用者ＩＤを用いて管理されるため、通信事業者１３０は、提携店舗利用者という新たな顧客チャネルを構築することができる。
【００３３】
また、Ｗｅｂサーバ１６０は、サービス管理サーバ１５０と接続されている情報処理装置である。Ｗｅｂサーバ１６０は、端末１０１からの要求に応じて、端末１０１へ店舗ポータル及びサービスポータルを提供する機能と、店舗端末２００−１〜２００−ｎからの要求に応じて、店舗端末２００−１〜２００−ｎへ店舗用管理・運用サイトを提供する機能とを備えている。
【００３４】
店舗ポータル及びサービスポータルは、各利用者の利用者情報（電子メールアドレスや氏名等）の確認機能及び変更機能と、ポイント情報（利用者が保有する利用者保有ポイント数と、そのポイントを用いて通信事業者１３０と接続可能な時間と、そのポイントを商品購入に使用する場合何円分として使用可能であるか）、及び、利用者が今まで利用しポイントを得た店舗の各種情報（新商品情報、キャンペーン情報、クーポン等）の確認機能と、フリースポット提供店舗１００や提携店舗の広告表示機能と、端末１０１が接続している基地局１１０，１２０の基地局識別情報を基に、近隣のフリーサービス提供店舗１００や提携店舗の紹介及び時間単価の低いアクセスポイントの情報提供機能と、特定店舗内でのオリジナルコンテンツの配布や販売機能とを備えている。
【００３５】
店舗用管理・運用サイトは、店舗端末２００−１〜２００−ｎからのみアクセス可能であり、店舗ポータル及びサービスポータルに記載する店舗情報及び端末１０１へ送信する電子メール内容等の店舗情報の設定機能を備えている。
【００３６】
メールサーバ１７０は、サービス管理サーバ１５０と接続されている情報処理装置である。メールサーバ１７０は、利用者情報データベース１８０及び店舗情報データベース１９０と連携し、店舗情報データベース１９０に記憶されている店舗の各種情報（新商品情報、キャンペーン情報、クーポン情報）を含む電子メールを、店舗の利用者の電子メールアドレスへ送信する機能を備えている。
【００３７】
利用者情報データベース１８０は、ハードディスク等の記憶装置であり、端末１０１を所有する利用者の基本情報を記憶する。例えば各利用者の利用者ＩＤ、パスワード、氏名、電子メールアドレス、利用店舗ＩＤ、等を対応付けて記憶する。
【００３８】
店舗情報データベース１９０は、ハードディスク等の記憶装置であり、店舗端末２００−１〜２００−ｎが設置されている各店舗の基本情報を記憶する。例えば各店舗の店舗ＩＤ、パスワード、店舗の属性（喫茶店、コンビニエンスストア、書店、等）、店舗名、住所、キャンペーン情報、新商品情報、クーポン情報、店舗を利用している利用者の利用者ＩＤリスト、等を対応付けて記憶する。また、当該店舗にて商品やサービスが購入された場合の購入金額に対するポイント数を記憶する。また、ポイントに対する端末１０１と通信事業者１３０との接続可能時間を示す接続時間情報を記憶する。
【００３９】
店舗端末２００−１〜２００−ｎは、フリーホットスポット提供店舗１００とその他の提携店舗、例えばコーヒーショップ、コンビニエンスストア、書店、等に設置されているパーソナルコンピュータ等の情報処理装置である。店舗端末２００−１〜２００−ｎは、専用線でサービス管理サーバ１５０と接続されている。また、店舗端末２００−１〜２００−ｎは、店舗に一意に割り当てられた店舗ＩＤと、店舗利用者の利用者ＩＤと、利用者の購入金額とをサービス管理サーバ１５０へ送信する機能と、サービス管理サーバ１５０へ問い合わせて利用者ＩＤが保有する利用者保有ポイント数を参照及び更新する機能とを備えている。
【００４０】
図２は、図１に示したＡＡＡサーバ１４０の内部構成の一例を示す図である。
【００４１】
図１に示したＡＡＡサーバ１４０には図２に示すように、基地局通信部１４１と、認証部１４２と、処理部１４３と、サーバ通信部１４４とが設けられている。
【００４２】
基地局通信部１４１は、基地局１１０，１２０との間にて通信を行う。また、基地局通信部１４１は、基地局１１０，１２０を介して端末１０１から送信されてきた利用者ＩＤやパスワード等の認証情報を認証部１４２へ出力する。また、基地局通信部１４１は、基地局１１０，１２０を介して端末１０１から送信されてきたその他の信号を処理部１４３へ出力する。また、処理部１４３から出力された信号を基地局１１０，１２０を介して端末１０１へ送信する。
【００４３】
認証部１４２は、基地局通信部１４１から出力された認証情報に基づいて、端末１０１（利用者）の認証を行い、認証結果を処理部１４３へ出力する。
【００４４】
処理部１４３は、認証部１４２から出力された認証結果が、端末１０１（利用者）の認証に成功したものである場合、基地局通信部１４１から出力された信号に所定の処理を行い、サーバ通信部１４４へ出力する。また、処理部１４３は、当該認証結果が成功したものである場合、サーバ通信部１４４から出力された信号に所定の処理を行い、基地局通信部１４１へ出力する。
【００４５】
サーバ通信部１４４は、処理部１４３から出力された信号をサービス管理サーバ１５０へ送信する。また、サーバ通信部１４４は、サービス管理サーバ１５０から送信されてきた信号を処理部１４３へ出力する。
【００４６】
なお、図２には、図１に示したＡＡＡサーバ１４０が有する構成要素のうち、本発明に関わる構成要素のみを示した。
【００４７】
図３は、図１に示したサービス管理サーバ１５０の内部構成の一例を示す図である。
【００４８】
図１に示したサービス管理サーバ１５０には図３に示すように、サーバ通信部１５１と、処理部１５２と、端末位置判定部１５３と、利用者情報取得部１５４と、店舗情報取得部１５５と、接続時間取得部１５６とが設けられている。
【００４９】
サーバ通信部１５１は、ＡＡＡサーバ１４０，Ｗｅｂサーバ１６０またはメールサーバ１７０から送信されてきた信号のうち、基地局１１０，１２０を識別するための基地局識別情報を端末位置判定部１５３へ出力する。また、サーバ通信部１５１は、ＡＡＡサーバ１４０から送信されてきたその他の信号を処理部１５２へ出力する。また、サーバ通信部１５１は、処理部１５２から出力された信号をＡＡＡサーバ１４０またはＷｅｂサーバ１６０またはメールサーバ１７０へ送信する。また、サーバ通信部１５１は、店舗端末２００−１〜２００−ｎから送信されてきた信号を処理部１５２へ出力する。このとき、店舗端末２００−１〜２００−ｎから送信されてくる信号には、店舗端末２００−１〜２００−ｎそれぞれ固有に付与された店舗識別情報（店舗ＩＤ）が付与されている。また、サーバ通信部１５１は、処理部１５２から出力された信号を店舗端末２００−１〜２００−ｎへ送信する。
【００５０】
処理部１５２は、サーバ通信部１５１から出力された信号に所定の処理を行う。処理部１５２は、処理した信号が、利用者の情報を要求する利用者情報要求信号である場合、当該利用者情報要求信号を利用者情報取得部１５４へ出力する。また、利用者情報取得部１５４から出力された利用者情報に所定の処理を行い、サーバ通信部１５１へ出力する。また、処理部１５２は、処理した信号が、店舗の情報を要求する店舗情報要求信号である場合、当該店舗情報要求信号を店舗情報取得部１５５へ出力する。また、店舗情報取得部１５５から出力された店舗情報に所定の処理を行い、サーバ通信部１５１へ出力する。また、処理部１５２は、処理した信号が、接続時間の情報を要求する接続時間要求信号である場合、当該接続時間要求信号を接続時間取得部１５６へ出力する。また、接続時間取得部１５６から出力された接続時間を示す情報に所定の処理を行い、サーバ通信部１５１へ出力する。
【００５１】
端末位置判定部１５３は、サーバ通信部１５１から出力された基地局識別情報に基づいて、端末１０１がフリースポット提供店舗１００の中にいるのか外にいるのかを判定する。端末位置判定部１５３には、基地局１１０，１２０が、フリースポット提供店舗１００の中で通信を行うように設置されたものなのか、それともフリースポット提供店舗１００の外で通信を行うように設置されたものなのかがあらかじめ設定されている。この設定内容と、サーバ通信部１５１から出力された基地局情報とに基づいて、端末１０１がフリースポット提供店舗１００の中にいるのか外にいるのかを判定する。そして、判定結果を接続時間取得部１５６へ出力する。
【００５２】
利用者情報取得部１５４は、処理部１５２から利用者情報要求信号が出力されてきた場合、利用者情報データベース１８０から利用者情報を取得する。また、利用者情報取得部１５４は、取得した利用者情報を処理部１５２へ出力する。
【００５３】
店舗情報取得部１５５は、処理部１５２から店舗情報要求信号が出力されてきた場合、店舗情報データベース１９０から店舗情報を取得する。また、店舗情報取得部１５５は、取得した店舗情報を処理部１５２へ出力する。
【００５４】
接続時間取得部１５６は、処理部１５２から接続時間要求信号が出力されてきた場合、端末位置判定部１５３から出力されてきた判定結果に基づいて、店舗情報データベース１９０から接続時間を示す情報を取得する。また、接続時間取得部１５６は、取得した接続時間を示す情報を処理部１５２へ出力する。
【００５５】
なお、図３には、図１に示したサービス管理サーバ１５０が有する構成要素のうち、本発明に関わる構成要素のみを示した。
【００５６】
図４は、図１に示した利用者情報データベース１８０に記憶された利用者情報の一例を示す図である。
【００５７】
図１に示した利用者情報データベース１８０には図４に示すように、利用者ＩＤを示すＩＤと、パスワードと、電子メールアドレスと、ポイント数とが対応付けられて記憶されている。ここでポイント数は、上述した利用者保有ポイント数である。
【００５８】
例えば、ＩＤ「０００００００１」と、パスワード「ａａａａａ」と、電子メールアドレス「ＡＡＡ＠ｘｘｘ．ｎｅ．ｊｐ」と、ポイント数「７８」とが対応付けられて記憶されている。これは、ＩＤ「０００００００１」が記入されたカードを所有した利用者を認証するためのパスワードは「ａａａａａ」であり、当該利用者の電子メールアドレスは「ＡＡＡ＠ｘｘｘ．ｎｅ．ｊｐ」であり、当該利用者の利用者保有ポイント数は「７８」であることを示している。また、ＩＤ「０００００００２」と、パスワード「ｂｂｂｂｂ」と、電子メールアドレス「ＢＢＢ＠ｙｙｙ．ｎｅ．ｊｐ」と、ポイント数「１５６」とが対応付けられて記憶されている。これは、ＩＤ「０００００００２」が記入されたカードを所有した利用者を認証するためのパスワードは「ｂｂｂｂｂ」であり、当該利用者の電子メールアドレスは「ＢＢＢ＠ｙｙｙ．ｎｅ．ｊｐ」であり、当該利用者の利用者保有ポイント数は「１５６」であることを示している。
【００５９】
図５は、図１に示した店舗情報データベース１９０に記憶された接続時間情報の一例を示す図である。
【００６０】
図１に示した店舗情報データベース１９０には図５に示すように、ポイント数と、ポイント毎接続可能時間とが対応付けられて記憶されている。さらに、ポイント毎接続可能時間は、端末１０１がフリースポット提供店舗１００の中にいる場合と外にいる場合とが記憶されている。
【００６１】
例えば、ポイント数「１〜１００」と、店舗内のポイント毎接続可能時間（第２の接続時間）「１分」と、店舗外のポイント毎接続可能時間（第１の接続時間）「３分」とが対応付けられて記憶されている。これは、保有しているポイント数が「１〜１００」である利用者（端末１０１）が、フリースポット提供店舗１００の中にいる場合に通信事業者１３０を介してネットワーク（フリースポット）と接続できる時間がポイント毎に「１分間」であり、フリースポット提供店舗１００の外にいる場合に通信事業者１３０を介してネットワーク（広域無線ＬＡＮ）と接続できる時間がポイント毎に「３分間」であることを示している。また、ポイント数「１０１〜２００」と、店舗内のポイント毎接続可能時間「２分」と、店舗外のポイント毎接続可能時間「６分」とが対応付けられて記憶されている。これは、保有しているポイント数が「１０１〜２００」である利用者（端末１０１）が、フリースポット提供店舗１００の中にいる場合に通信事業者１３０を介してネットワーク（フリースポット）と接続できる時間がポイント毎に「２分間」であり、フリースポット提供店舗１００の外にいる場合に通信事業者１３０を介してネットワーク（広域無線ＬＡＮ）と接続できる時間がポイント毎に「６分間」であることを示している。
【００６２】
このように、端末１０１がフリースポット提供店舗１００の中にいる場合の接続可能時間よりも、端末１０１がフリースポット提供店舗１００の外にいる場合の接続可能時間の方が長い時間に設定されている。
【００６３】
以下に、本形態におけるサービス提供方法について説明する。
【００６４】
図６は、本形態におけるサービス提供方法のうち端末１０１と通信事業者１３０（ネットワーク）との接続方法を説明するためのフローチャートである。
【００６５】
まず、端末１０１によって基地局１１０，１２０が検出されると（ステップＳ１）、端末１０１にサービスログイン画面が表示される（ステップＳ２）。
【００６６】
利用者がサービスを受けるための利用者ＩＤをまだ所有していない場合、すなわち、利用者ＩＤが記入されたカードを所有していない場合（ステップＳ３）、当該利用者は本サービスを利用することができないためサービスを終了する。
【００６７】
利用者が利用者ＩＤを所有している場合、当該利用者の利用者情報が利用者情報データベース１８０に登録済みであれば（ステップＳ４）、利用者がサービスポータルサイト上で利用者ＩＤとパスワードとを入力することにより、ログイン処理が行われる（ステップＳ５）。このログイン処理は、利用者が端末１０１に入力した利用者ＩＤとパスワードとが通信事業者１３０へ送信され、サービス管理サーバ１５０の利用者情報取得部１５４によって利用者情報データベース１８０に記憶されている利用者ＩＤとパスワードとが取得され、処理部１５２によってそれらが比較される一般的なものである。
【００６８】
一方、利用者情報が未登録であれば、利用者が利用者情報の登録をするか否かを選択し（ステップＳ６）、利用者が利用者情報の登録をしない場合はサービスを終了する。また、利用者が利用者情報の登録をする場合は登録処理が行われる（ステップＳ７）。この利用者が利用者情報の登録をするか否かを選択するには、端末１０１に選択画面が表示され、利用者が当該選択画面を選択することによる。また、登録処理は、端末１０１から利用者ＩＤとパスワード等の利用者情報データベース１８０に登録すべき利用者情報が登録されるものである。
【００６９】
ステップＳ５のログイン処理またはステップＳ７の登録処理が完了すると、サービス管理サーバ１５０によって利用者情報データベース１８０が参照され、受信した利用者ＩＤが保有するポイント数が確認される（ステップＳ８）。
【００７０】
利用者ＩＤが保有するポイントが無い場合、端末１０１へ接続不可である旨を示す接続不可メッセージが送信され、端末１０１に当該接続不可メッセージが表示される（ステップＳ９）。そして、端末１０１にサービスポータルが表示される（ステップＳ１０）。しかし、このサービスポータル以外へはアクセス制限がかけられる。
【００７１】
一方、利用者ＩＤがポイントを保有している場合は、基地局１１０，１２０からＡＡＡサーバ１４０を介して送信されてくる基地局識別情報に基づいて、端末１０１がフリースポット提供店舗１００の中にいるか外にいるかが端末位置判定部１５３にて判定される（ステップＳ１１）。これは、基地局識別情報が基地局１１０のものである場合、端末１０１がフリースポット提供店舗１００の中にいると判定される。また、基地局識別情報が基地局１２０のものである場合、端末１０１がフリースポット提供店舗１００の外にいると判定される。
【００７２】
その後、端末１０１がフリースポット提供店舗１００の中にいると判定された場合、または端末１０１がフリースポット提供店舗１００の外にいると判定された場合、接続時間が接続時間取得部１５６によって店舗情報データベース１９０から取得される（ステップＳ１２，Ｓ１５）。この取得された接続時間が処理部１５２に設定される。
【００７３】
ステップＳ１２にて接続時間が処理部１５２に設定されると、設定された時間で端末１０１が通信事業者１３０によってフリースポットへ接続される（ステップＳ１３）。すると、通信事業者１３０によって、端末１０１に店舗ポータルが表示される（ステップＳ１４）。
【００７４】
また、ステップＳ１５にて接続時間が処理部１５２に設定されると、設定された時間で端末１０１が通信事業者１３０によって広域無線ＬＡＮへ接続される（ステップＳ１６）。すると、通信事業者１３０によって、端末１０１にサービスポータルが表示される（ステップＳ１７）。
【００７５】
その後、後述するアクセス制御フローへ移る（フローチャートの「ａ」）。
【００７６】
図７は、本形態におけるサービス提供方法のうち端末１０１のアクセス制御方法を説明するためのフローチャートである。
【００７７】
ＡＡＡサーバ１４０によって端末１０１を常時監視することにより端末１０１のハンドオーバーが検出されたかどうかが判定される（ステップＳ２１）。
【００７８】
ＡＡＡサーバ１４０によって端末１０１のハンドオーバーが検出されたと判定された場合、当該ハンドオーバーがフリースポット提供店舗１００の中と外とを跨ぐハンドオーバーであるかどうかがサービス管理サーバ１５０によって判定される（ステップＳ２２）。これは、ＡＡＡサーバ１４０から送信されてくる基地局識別情報に基づいて端末位置判定部１５３によって端末１０１の位置がフリースポット提供店舗１００の中であるか外であるかが判定されることによる。
【００７９】
ハンドオーバーがフリースポット提供店舗１００の中と外とを跨ぐハンドオーバーであると判定された場合、接続時間取得部１５６によって相当するポイント毎の接続可能時間が店舗情報データベース１９０から取得される（ステップＳ２３）。
【００８０】
また、ハンドオーバーがフリースポット提供店舗１００の中と外とを跨ぐハンドオーバーではないと判定された場合は、接続可能時間に変更がないため、あらたに店舗情報データベース１９０から接続可能時間は取得されない。
【００８１】
すると、当該利用者の保有ポイント数が利用者情報取得部１５４によって利用者情報データベース１８０から取得され、処理部１５２によって確認されて、保有ポイント数に応じた残り接続可能時間があるかどうかが処理部１５２にて判定される（ステップＳ２４）。
【００８２】
残り接続可能時間があると判定された場合、フリースポットまたは広域無線ＬＡＮと接続されている端末１０１の残り接続可能時間が、あらかじめ設定された閾値よりも短いかどうかが、サービス管理サーバ１５０によって判定される（ステップＳ２５）。
【００８３】
フリースポットまたは広域無線ＬＡＮと接続されている端末１０１の残り接続可能時間が、あらかじめ設定された閾値よりも短いと判定された場合、サービス管理サーバ１５０によって端末１０１に残り接続可能時間が短いことを示す警告メッセージが表示される（ステップＳ２６）。その後、ステップＳ２１の処理が行われる。
【００８４】
また、フリースポットまたは広域無線ＬＡＮと接続されている端末１０１の残り接続可能時間が、あらかじめ設定された閾値よりも短くはないと判定された場合は、ステップＳ２６の警告メッセージ表示は行われずに、ステップＳ２１の処理が行われる。
【００８５】
一方、ステップＳ２４にて、残り接続可能時間がないと判定された場合は、サービス管理サーバ１５０によって端末１０１に切断する旨を示す切断メッセージが表示され（ステップＳ２７）、切断処理が行われる（ステップＳ２８）。
【００８６】
次に、店舗端末２００−１〜２００−ｎによる利用者保有ポイント数の確認、利用、及びポイント付与時の、サービス管理サーバ１５０によって実行される処理について説明する。
【００８７】
図８は、店舗端末２００−１〜２００−ｎによる利用者保有ポイント数の確認時の、サービス管理サーバ１５０によって実行される処理を説明するためのフローチャートである。
【００８８】
まず、サービス管理サーバ１５０にて、店舗端末２００−１〜２００−ｎから利用者の保有するポイント数の確認要求であるポイント確認要求及びポイント確認に必要な利用者ＩＤと店舗ＩＤとが受信されると（ステップＳ３１）、利用者情報取得部１５４によって利用者情報データベース１８０が参照され、当該利用者ＩＤと対応付けられたポイント数が取得される。また、店舗情報取得部１５５によって店舗情報データベース１９０が参照され、店舗内・外で端末１０１が接続可能な時間と、換算金額とが確認される（ステップＳ３２）。そして、それらの情報が店舗ＩＤを持つ店舗端末２００−１〜２００−ｎへサービス管理サーバ１５０から送信される（ステップＳ３３）。
【００８９】
図９は、店舗端末２００−１〜２００−ｎによる利用者保有ポイント数の利用時の、サービス管理サーバ１５０によって実行される処理を説明するためのフローチャートである。
【００９０】
まず、サービス管理サーバ１５０へ店舗端末２００−１〜２００−ｎからポイントを利用する要求であるポイント利用要求及びポイント利用に必要な利用者ＩＤと店舗ＩＤと利用者の購入金額が受信されると（ステップＳ４１）、店舗情報取得部１５５によって店舗情報データベース１９０から取得された情報に基づいて、当該購入金額に応じたポイント数が処理部１５２によって算出される。そして、利用者情報取得部１５４によって利用者情報データベース１８０から取得された当該利用者ＩＤと対応付けられたポイント数から、処理部１５２によって算出されたポイント数が減算される（ステップＳ４２）。
【００９１】
そして、使用したポイント数と残りのポイント数とがサービス管理サーバ１５０から当該店舗ＩＤを持つ店舗端末２００−１〜２００−ｎへ送信される（ステップＳ４３）。
【００９２】
図１０は、店舗端末２００−１〜２００−ｎによる利用者保有ポイント数の付与時の、サービス管理サーバ１５０によって実行される処理を説明するためのフローチャートである。
【００９３】
まず、サービス管理サーバ１５０によって店舗端末２００−１〜２００−ｎからポイントを加算する要求であるポイント加算要求及びポイント加算に必要な利用者ＩＤと店舗ＩＤと利用者の支払い金額とが受信されると（ステップＳ５１）、店舗情報取得部１５５によって店舗情報データベース１９０から店舗情報が取得される。そして、取得された店舗情報に含まれる受信した店舗ＩＤを持つ店舗端末におけるポイント発行条件に基づいて、発行するポイント数が処理部１５２にて算出される（ステップＳ５２）。その後、算出されたポイント数が、利用者情報取得部１５４によって利用者情報データベース１８０へ登録される（ステップＳ５３）。
【００９４】
なお、ポイント利用要求もポイント加算要求も受信しない場合、つまり、利用者が保有するポイント数を確認するに留まった場合は、ポイント減算処理やポイント登録処理は行わず、ポイント数と、接続可能時間と、換算金額情報を店舗端末へ送信した時点でサービスを終了する。
【００９５】
次に、店舗端末２００−１〜２００−ｎを用いて店舗用管理・運営サイトにアクセス及び、キャンペーン情報の登録や、ポイント付与率の変更や、利用者へ配信するメール内容の設定や、自店でポイントを利用した利用者情報の確認といった店舗用各種機能を利用する際の、サービス管理サーバ１５０によって実行される処理について説明する。
【００９６】
図１１は、店舗端末２００−１〜２００−ｎを用いて店舗用管理・運営サイトにアクセス及び、キャンペーン情報の登録や、ポイント付与率の変更や、利用者へ配信するメール内容の設定や、自店でポイントを利用した利用者情報の確認といった店舗用各種機能を利用する際の、サービス管理サーバ１５０によって実行される処理を説明するためのフローチャートである。
【００９７】
まず、サービス管理サーバ１５０によって、店舗端末２００−１〜２００−ｎからサイトアクセス要求及び、店舗ＩＤとパスワードとが受信されると（ステップＳ６１）、サービス管理サーバ１５０にて、受信した店舗ＩＤとパスワードとを用いて店舗端末２００−１〜２００−ｎの認証が行われる（ステップＳ６２）。
【００９８】
店舗端末２００−１〜２００−ｎがサービス管理サーバ１５０によって認証されると、サービス管理サーバ１５０によって、店舗端末２００−１〜２００−ｎの店舗用管理・運営サイトへのアクセスが許可され、記各種機能がサービス管理サーバ１５０から店舗端末２００−１〜２００−ｎへ提供される（ステップＳ６３）。
【００９９】
このように、本発明では、端末１０１がフリースポット提供店舗１００内にいるのか、もしくはフリースポット提供店舗１００外にいるのかを判断する機能を持つ。具体的なフリースポット提供店舗１００内外判定は、端末１０１がフリースポット提供店舗１００内のフリースポットからネットワークに接続しているのか、それとも広域無線ＬＡＮ網からネットワークに接続しているのかを通信事業者１３０事業者側に設置するＡＡＡサーバ１４０で常時監視することにより行われる。
【０１００】
従来のＷｉ−Ｆｉ通信では、利用者がどのアクセスポイントから接続しているのかを把握することはできたが、フリースポット提供店舗１００を丁度覆うようなアクセスポイントを設置することが難しかったため、アクセスポイントによるフリースポット提供店舗１００内外の判定は困難であった。
【０１０１】
しかし、上述したように、本発明におけるＷｉＭＡＸフリースポットは、超小型基地局である基地局１１０が、ビームフォーミングによりフリースポット提供店舗１００を丁度囲むように設置されている。そのため、端末１０１が利用している基地局情報を基に端末１０１がフリースポット提供店舗１００内にいるかフリースポット提供店舗１００外にいるかを判定することが容易になる。
【０１０２】
このフリースポット提供店舗１００内外判定機能により、サービス管理サーバー１５０側での端末１０１のフリースポット提供店舗１００内からフリースポット提供店舗１００外へのハンドオーバー検知や、フリースポット利用者への各店舗独自のサービスやコンテンツ提供等が可能となる。
【０１０３】
また、本発明では、端末１０１がフリースポット提供店舗１００内のフリースポットからフリースポット提供店舗１００外の広域無線ＬＡＮ網へ移動することを促す機能を持つ。
【０１０４】
具体的な方法としては、広域無線ＬＡＮ網で１ポイントにつき接続可能な時間を、フリースポットで１ポイントにつき接続可能な時間よりも長く設定する。例えば、フリースポット提供店舗１００内のフリースポットでは利用者が保有するポイント１ポイントにつき１分間の接続が可能だが、フリースポット提供店舗１００外では１ポイントにつき３分間接続できるようになる。これにより、フリースポット提供店舗１００内で接続するよりもフリースポット提供店舗１００外で接続した方が同ポイントで長時間接続可能となる。そのため、フリースポット提供店舗１００外での接続にもメリットを持たせることが可能となり、フリースポット提供店舗１００内フリースポット利用者の店内停滞を軽減できる。また、このフリースポット提供店舗１００外の接続可能時間の利点を端末１０１に表示させるものであっても良い。
【０１０５】
図１２は、フリースポット提供店舗１００外の接続可能時間の利点を端末１０１に表示させた場合の端末１０１における表示画面の一例を示す図である。
【０１０６】
図１２に示すように、端末１０１に「店舗の中での接続時間は１０分間ですが、店舗の外に出ると２０分間、接続可能です。」というフリースポット提供店舗１００外の接続可能時間の利点を表示させることにより、利用者がフリースポット提供店舗１００外へ移動することを促すものであっても良い。
【０１０７】
また、１ポイントにつき接続可能な時間である利用ポイント率の設定変更は、端末１０１がどの基地局１１０，１２０を利用しているかを管理しているＡＡＡサーバ１４０が、端末１０１のフリースポット提供店舗１００内からフリースポット提供店舗１００外へのハンドオーバーもしくはフリースポット提供店舗１００外からフリースポット提供店舗１００内へのハンドオーバーを検知したときに、サービス管理サーバ１５０が設定を切り替えることにより瞬時に行うことが可能である。
【０１０８】
また、利用者を広域無線ＬＡＮ網へ移動することを促す別の手段として、端末１０１が、フリースポット提供店舗１００内のフリースポットからフリースポット提供店舗１００外の広域無線ＬＡＮ網へハンドオーバーしたことをＡＡＡサーバ１４０が検知すると、その端末１０１へハンドオーバー奨励ポイントを付与するといった方法であっても良い。
【０１０９】
また、本発明では、利用者用ポータルサイトと、店舗用管理・運用サイトが用意されている。
【０１１０】
利用者に向けて提供されるポータルサイトは、利用者がフリースポットを利用しているときは、フリースポットを提供している店舗のポータルサイトである店舗ポータルが選択され、端末１０１に表示される。また、利用者が広域無線ＬＡＮを利用しているときは、本サービスのポータルサイトであるサービスポータルが自動的に選択され、端末１０１に表示される。
【０１１１】
店舗ポータルは、フリースポット提供店舗の各種キャンペーン情報、クーポン情報、新商品情報等の配信の他、特定店舗内でのオリジナルコンテンツの配布や販売も可能である。
【０１１２】
サービスポータルは、端末１０１が接続している基地局１１０，１２０の基地局情報を基に、近隣のフリースポット提供店舗や提携店舗情報の配信の他、トップページには、フリースポット提供店舗１００と提携店舗の中から、直近のある一定期間（先週、先月、等）に一番多くのポイントを付与した企業の広告を表示する。これにより、店舗間や企業間の競争原理を働かせ、提携店舗やスポンサー企業を取り込むことができる。
【０１１３】
また、サービスポータルサイトは、インターネットに接続されている端末であれば、本発明の広域無線ＬＡＮ網やフリースポット以外からでもアクセス可能である。そのため、利用者は、自宅のインターネット接続や携帯電話からでも自身が保有するポイント数の確認や、キャンペーン情報等を確認することができる。
【０１１４】
また、店舗ポータル及びサービスポータルのどちらにおいても、利用者は、ポイント情報（利用者が保有するポイント数と、そのポイントを用いてフリースポットとフリー広域無線ＬＡＮとにそれぞれ接続可能な時間と、そのポイントを商品購入に使用する場合何円分として使用可能であるか）と、利用者が今まで利用しポイントを得た店舗の各種情報（新商品情報、キャンペーン情報、クーポン、等）とを確認することができる。
【０１１５】
店舗用管理・運営サイトは、店舗端末２００−１〜２００−ｎからのみ、店舗ＩＤと店舗パスワードとによる認証を行うことでアクセス可能なウェブページである。店舗用管理・運営サイトは、キャンペーン情報やクーポン情報の登録と、ポイント付与率の変更と、利用者へ配信するメール内容の設定等が行えるほか、日単位で更新される、自店で獲得した利用者情報や自店でポイントを利用した利用者情報を確認することができる。
【０１１６】
なお、上述したサービス管理サーバ１５０の処理は、目的に応じて作製された論理回路で行うようにしても良い。また、処理内容を手順として記述したプログラムをサービス管理サーバ１５０にて読取可能な記録媒体に記録し、この記録媒体に記録されたプログラムをサービス管理サーバ１５０に読み込ませ、実行するものであっても良い。サービス管理サーバ１５０にて読取可能な記録媒体とは、フロッピーディスク（登録商標）、光磁気ディスク、ＤＶＤ、ＣＤなどの移設可能な記録媒体の他、サービス管理サーバ１５０に内蔵されたＲＯＭ、ＲＡＭ等のメモリやＨＤＤ等を指す。この記録媒体に記録されたプログラムは、サービス管理サーバ１５０内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１１７】
以上説明したように、本発明には以下の効果ある。
【０１１８】
第１の効果は、本発明のフリースポット及びフリー広域無線ＬＡＮサービス方法により、フリースポット提供店舗の外でも広域無線ＬＡＮ網内であればフリー広域無線ＬＡＮ接続が提供可能となり、店舗利用者の流動性が高まることである。
【０１１９】
第２の効果は、店舗内・外でのポイント消化率（１ポイントで接続可能な時間）を変えることにより、店舗外での接続にメリットを持たせることが可能になることである。
【０１２０】
第３の効果は、店内の混雑により店内でフリースポットを利用できない場合でも、店外でフリー広域無線ＬＡＮ接続が可能であり、また、接続権をポイントとしてためておくことも可能であるためフリースポットサービスを店舗利用者に平等に提供できることである。
【０１２１】
第４の効果は、座席のないコンビニエンスストア等の提携店舗でも無料アクセスを店舗利用の付加価値サービスとして提供できるようになることにより、ＷｉＭＡＸ等の通信事業者にとって新しいプロモーションチャネルの構築となり、ＷｉＭＡＸ等の通信事業の拡大に繋がることである。
【図面の簡単な説明】
【０１２２】
【図１】本発明の通信システムの一形態を示す図である。
【図２】図１に示したＡＡＡサーバの内部構成の一例を示す図である。
【図３】図１に示したサービス管理サーバの内部構成の一例を示す図である。
【図４】図１に示した利用者情報データベースに記憶された利用者情報の一例を示す図である。
【図５】図１に示した店舗情報データベースに記憶された接続時間情報の一例を示す図である。
【図６】本形態におけるサービス提供方法のうち端末と通信事業者（ネットワーク）との接続方法を説明するためのフローチャートである。
【図７】本形態におけるサービス提供方法のうち端末のアクセス制御方法を説明するためのフローチャートである。
【図８】店舗端末による利用者保有ポイント数の確認時の、サービス管理サーバによって実行される処理を説明するためのフローチャートである。
【図９】店舗端末による利用者保有ポイント数の利用時の、サービス管理サーバによって実行される処理を説明するためのフローチャートである。
【図１０】店舗端末による利用者保有ポイント数の付与時の、サービス管理サーバによって実行される処理を説明するためのフローチャートである。
【図１１】店舗端末を用いて店舗用管理・運営サイトにアクセス及び、キャンペーン情報の登録や、ポイント付与率の変更や、利用者へ配信するメール内容の設定や、自店でポイントを利用した利用者情報の確認といった店舗用各種機能を利用する際の、サービス管理サーバによって実行される処理を説明するためのフローチャートである。
【図１２】フリースポット提供店舗外の接続可能時間の利点を端末に表示させた場合の端末における表示画面の一例を示す図である。
【符号の説明】
【０１２３】
１００    フリースポット提供端末
１０１    端末
１１０，１２０    基地局
１３０    通信事業者
１４０    ＡＡＡサーバ
１４１    基地局通信部
１４２    認証部
１４３，１５２    処理部
１４４，１５１    サーバ通信部
１５０    サービス管理サーバ
１５３    端末位置判定部
１５４    利用者情報取得部
１５５    店舗情報取得部
１５６    接続時間取得部
１６０    Ｗｅｂサーバ
１７０    メールサーバ
１８０    利用者情報データベース
１９０    店舗情報データベース
２００−１〜２００−ｎ    店舗端末
【図１】
2010118840.tif 000003
【図２】
2010118840.tif 000004
【図３】
2010118840.tif 000005
【図４】
2010118840.tif 000006
【図５】
2010118840.tif 000007
【図６】
2010118840.tif 000008
【図７】
2010118840.tif 000009
【図８】
2010118840.tif 000010
【図９】
2010118840.tif 000011
【図１０】
2010118840.tif 000012
【図１１】
2010118840.tif 000013
【図１２】
2010118840.tif 000014